(57)【要約】【課題】血管造影検査を行うとき被検者に心電モニタが取り付けられることが多いが、このような場合術者は常に被検者の心拍に異常が無いかを心電モニタが発する電子音で確認しながら、モニタに表示される透視画像を見て検査を進めていく。そのため術者は警告音発生装置が発する警告音を聞き逃がしたり、別の表示器に表示される警告メッセージを見落としたりしやすい。またＸ線透視撮影装置以外の検査機器の中にも警告音を発するものがあるため、どの装置からの警告音かを瞬時に判別できないおそれもある。【解決手段】術者１５がＸ線管１とＸ線受光部２を保持する保持装置および天板１６の移動をグリップ１１またはレバー１４により操作する操作部１８の筐体１３内に振動発生機構１２を取り付け、振動発生機構１２が発生する振動を警報として術者１５に知らせる。【選択図】          図１
2009039381.tif 000002
【特許請求の範囲】
【請求項１】
天板に被検者を載置する検診台と、前記被検者を挟んでＸ線管およびＸ線受光部を対向配置して保持する保持アームと、術者が前記天板と前記保持アームの移動を操作する操作部と、Ｘ線画像を表示するモニタ装置を備えたＸ線透視撮影装置において、前記操作部の筐体内に振動発生手段を設け、前記振動発生手段が発生する振動を術者に対する警報とすることを特徴とするＸ線透視撮影装置。
【請求項２】
天板に被検者を載置する検診台と、前記被検者を挟んでＸ線管およびＸ線受光部を対向配置して保持する保持アームと、術者が前記天板と前記保持アームの移動を操作する操作部と、Ｘ線画像を表示するモニタ装置を備えたＸ線血管造影検査装置において、前記操作部の筐体内に振動発生手段を設け、前記振動発生手段が発生する振動を術者に対する警報とすることを特徴とするＸ線血管造影検査装置。
【請求項３】
被検者を挟んでＸ線管およびＸ線受光部を対向配置して保持する保持アームと、術者が前記保持アームの移動を操作する操作部と、Ｘ線画像を表示するモニタ装置を車輪により移動可能な台車に備えた外科用Ｘ線透視撮影装置において、前記操作部の筐体内に振動発生手段を設け、前記振動発生手段が発生する振動を術者に対する警報とすることを特徴とする外科用Ｘ線透視撮影装置。
【請求項４】
振動発生手段はモータとその回転軸に取り付けられた偏芯おもりであることを特徴とする請求項１記載のＸ線透視撮影装置、または請求項２記載のＸ線血管造影検査装置、または請求項３記載の外科用Ｘ線透視撮影装置。
【発明の詳細な説明】
【技術分野】
【０００１】
本発明はＸ線透視撮影装置に関する。
【背景技術】
【０００２】
Ｘ線透視撮影装置を用いて血管造影検査を行う様子を図４に示す。術者１５は透視および撮影を行うとき、検診台５の天板１６上に被検者４を載置して、例えば天板１６の側面に取り付けられた操作部１７を操作して、天板１６を移動させ、さらにＸ線管１および、例えばフラットパネル型検出器により構成されるＸ線受光部２をそれぞれ両端に対向して取り付けたＣアーム３を回転、または移動させて、被検者４の撮影部位を撮影に適した位置に配置する。そのため天板１６は矢印５ａで示すように水平動可能に、また矢印５ｂで示すように上下動可能に検診台５により保持されており、Ｃアーム３は例えば天井から懸垂されたアーム保持部（図示しない）により、Ｘ線管１およびＸ線受光部２が矢印３ｃで示すように被検者４の体軸周りに回転可能に、さらに矢印３ｂで示すように体軸を含む面上を回転可能に保持され、さらにアーム保持部は天井に取り付けられたレール（図示しない）等により、Ｃアーム３とともに矢印３ａで示すように水平動可能に保持されている。また天井から懸垂されたモニタ懸垂器６にはＸ線画像等を表示するモニタ７、およびＸ線管１やＸ線受光部２の位置情報やエラーメッセージを表示する表示器８が取り付けられている。
【０００３】
上述のような血管造影検査を行う検査室内には、Ｘ線透視撮影装置以外にも特許文献１に記載されるように検査に必要な多数の機器が密接して配置されるので、術者１５は被検者４や装置同士の干渉に注意してＣアーム３や天板１６等の操作を行わねばならない。そのためＸ線透視撮影装置については、特許文献２および３に記載されるように、Ｘ線管１やＸ線受光部２と天板１６が干渉しないようにソフトウエアで制御されていたり、Ｘ線管１やＸ線受光部２が被検者４に接近すると移動速度が減速され、接触する直前で停止するように制御されるものが多い。そして術者１５は表示器８に表示される警告メッセージや、例えば操作部１７等に内蔵された警告音発生装置（図示しない）が発する警告音によって、Ｃアーム３等の操作に関する注意情報を得ることができる。
【特許文献１】特開平１１−２３９５８３号公報
【特許文献２】特開２００６−５１４０３号公報
【特許文献３】特開２００６−１３３００８号公報
【発明の開示】
【発明が解決しようとする課題】
【０００４】
血管造影検査を行うとき被検者に心電モニタが取り付けられることが多いが、このような場合術者は常に被検者の心拍に異常が無いかを心電モニタが発する電子音で確認しながら、モニタに表示される透視画像を見て検査を進めていく。そのため術者は警告音発生装置が発する警告音を聞き逃がしたり、別の表示器に表示される警告メッセージを見落としたりしやすい。またＸ線透視撮影装置以外の検査機器の中にも警告音を発するものがあるため、どの装置からの警告音かを瞬時に判別できないおそれもある。本発明はこのような不都合を解決するためのものである。
【課題を解決するための手段】
【０００５】
請求項１記載の発明は上記の目的を達成するために、天板に被検者を載置する検診台と、前記被検者を挟んでＸ線管およびＸ線受光部を対向配置して保持する保持アームと、術者が前記天板と前記保持アームの移動を操作する操作部と、Ｘ線画像を表示するモニタ装置を備えたＸ線透視撮影装置において、前記操作部の筐体内に振動発生手段を設け、前記振動発生手段が発生する振動を術者に対する警報とするＸ線透視撮影装置である。
【０００６】
請求項２記載の発明は上記の目的を達成するために、天板に被検者を載置する検診台と、前記被検者を挟んでＸ線管およびＸ線受光部を対向配置して保持する保持アームと、術者が前記天板と前記保持アームの移動を操作する操作部と、Ｘ線画像を表示するモニタ装置を備えたＸ線血管造影検査装置において、前記操作部の筐体内に振動発生手段を設け、前記振動発生手段が発生する振動を術者に対する警報とするＸ線血管造影検査装置である。
【０００７】
請求項３記載の発明は上記の目的を達成するために、被検者を挟んでＸ線管およびＸ線受光部を対向配置して保持する保持アームと、術者が前記保持アームの移動を操作する操作部と、Ｘ線画像を表示するモニタ装置を車輪により移動可能な台車に備えた外科用Ｘ線透視撮影装置において、前記操作部の筐体内に振動発生手段を設け、前記振動発生手段が発生する振動を術者に対する警報とする外科用Ｘ線透視撮影装置である。
【０００８】
請求項４記載の発明は上記の目的を達成するために、振動発生手段はモータとその回転軸に取り付けられた偏芯おもりである請求項１記載のＸ線透視撮影装置、または請求項２記載のＸ線血管造影検査装置、または請求項３記載の外科用Ｘ線透視撮影装置である。
【発明の効果】
【０００９】
本発明により、術者は自身の手により検診台の天板およびＣアームの操作を行う操作部が発する振動を警報として感知するので、表示器に表示される警告メッセージに注意を払う必要が無く、また心電モニタが発する電子音の中でも確実に警報を認識することができる。さらにＸ線透視撮影装置以外の検査機器の中に警告音を発するものがあっても、操作部が発する振動を透視撮影装置からの警報として瞬時に認識できる。
【発明を実施するための最良の形態】
【００１０】
図１〜図３を用いて本発明の実施例について説明する。まず図３は本発明のＸ線透視撮影装置を用いて血管造影検査を行う様子を示す図である。術者１５は透視および撮影を行うとき、検診台５の天板１６上に被検者４を載置して、例えば天板１６の側面に取り付けられた操作部１８を操作して、天板１６を移動させ、さらにＸ線管１および、例えばフラットパネル型検出器により構成されるＸ線受光部２をそれぞれ両端に対向して取り付けたＣアーム３を回転、または移動させて、被検者４の撮影部位を撮影に適した位置に配置する。そのため天板１６は矢印５ａで示すように水平動可能に、また矢印５ｂで示すように上下動可能に検診台５により保持されており、Ｃアーム３は例えば天井から懸垂されたアーム保持部（図示しない）により、Ｘ線管１およびＸ線受光部２が矢印３ｃで示すように被検者４の体軸周りに回転可能に、さらに矢印３ｂで示すように体軸を含む面上を回転可能に保持され、さらにアーム保持部は天井に取り付けられたレール（図示しない）等により、Ｃアーム３とともに矢印３ａで示すように水平動可能に保持されている。また天井から懸垂されたモニタ懸垂器６にはＸ線画像等を表示するモニタ７、およびＸ線管１やＸ線受光部２の位置情報やエラーメッセージを表示する表示器８が取り付けられている。
【００１１】
ここで図３に本発明によるＸ線透視撮影装置の操作部１８の構成例を示す。操作部１８は例えば図１（ａ）または図１（ｂ）に示すように、実線で示す背景技術の項で述べた操作部１７に破線で示す振動発生機構１２を内蔵した構成になっている。そして振動発生機構１２は例えば図２に示すように、モータ９の回転軸に偏芯した形状のおもり１０が取り付けられたものであり、このような構成の振動発生機構１２が筐体１３内に取り付けられている。そしてＸ線透視撮影装置全体を制御する、例えばマイクロコンピュータ等により構成される制御部（図示しない）から出力される警報信号を振動発生機構１２が受け取ると、モータ９の回転軸とともにおもり１０が回転して発生する振動が筐体１３および術者（図１には示していない）が手でつかんで操作する図１（ａ）のグリップ１１または図１（ｂ）のレバー１４を通じて、術者に伝わり警報として認識される。
【００１２】
この結果術者は図３に示すモニタ７に表示される透視画像を注視しながら検査を進めているとき表示器８に表示される警告メッセージに注意を払う必要が無く、また心電モニタが発する電子音の中でも確実に警報を認識することができる。さらにＸ線透視撮影装置以外の検査機器の中に警告音を発するものがあっても、操作部１８が発する振動を透視撮影装置からの警報として瞬時に認識できる。
【００１３】
上記実施例において、Ｘ線透視撮影装置はＸ線血管造影検査装置でも外科用Ｘ線透視撮影装置であってもよい。
【００１４】
上記実施例で操作部１８を天板１６の側面に取り付けるようにしたが、取り付け場所は本発明には関係なく、例えば別置きの構成であっても本発明は有効である。
【産業上の利用可能性】
【００１５】
本発明はＸ線透視撮影装置に関する。
【図面の簡単な説明】
【００１６】
【図１】本発明の実施例を説明するための図である。
【図２】本発明に使用する振動発生機構を説明するための図である。
【図３】本発明のＸ線透視撮影装置による検査の様子を示す図である。
【図４】従来のＸ線透視撮影装置による検査の様子を示す図である。
【符号の説明】
【００１７】
１：Ｘ線管
２：Ｘ線受光部
３：Ｃアーム
４：被検者
５：検診台
６：モニタ懸垂器
７：モニタ
８：表示器
９：モータ
１０：おもり
１１：グリップ
１２：振動発生機構
１３：筐体
１４：レバー
１５：術者
１６：天板
１７：操作部
１８：操作部
【図１】
2009039381.tif 000003
【図２】
2009039381.tif 000004
【図３】
2009039381.tif 000005
【図４】
2009039381.tif 000006